(57)【要約】【課題】エレベーターの保守作業に伴う、制御盤扉への配線の挟み込み、それに伴う地絡事故を未然に防止する。【解決手段】保守モードの設定（ステップS1）後、制御盤扉１を開け（ステップS2）、保守作業を行う（ステップS3）。保守作業終了後、制御盤扉１を閉じ（ステップS4）、保守モードを解除する（ステップS5）。このとき、制御盤扉１への配線の挟み込みを検知すると（ステップS6）、その旨をエレベーター保守作業員に知らせる（ステップS７）。保守作業員は、配線の挟み込みを知ることができ、再度、制御盤扉１が開閉されるまでエレベーターの通常運転への復帰は阻止されるので、配線の挟み込みを確実に防止することができる。【選択図】図１
2011073800.tif 000002
【特許請求の範囲】
【請求項１】
エレベーターの制御用電気品を収納した制御盤と、当該制御盤の扉と、当該扉を開閉する開閉機構とを備え、エレベーターの保守作業時に、上記制御盤の扉を開いて、収納された上記制御用電気品を操作するエレベーター装置において、上記制御盤の扉を閉じたとき、当該制御盤扉への配線の挟み込みを検知する挟み込み検知手段と、該挟み込み検知手段に応じて、上記配線の挟み込みを保守作業員に報知する報知手段とを備えたことを特徴とするエレベーター装置。
【請求項２】
請求項１の前記保守作業を、保守モード設定から保守モード解除までの間で可能にしたエレベーター装置において、前記挟み込み検知手段は、上記保守モード解除後の配線の挟み込みを検知するように構成し、前記報知手段は上記保守モード解除後の配線の挟み込みを保守作業員に知らせるようにしたことを特徴とするエレベーター装置。
【請求項３】
請求項２において、前記保守モード解除後の配線の挟み込みが検知されたときは、少なくとも前記制御盤扉が再度開閉されたことを条件に、前記挟み込み検知手段による再検知を実行するようにしたこと特徴とするエレベーター装置。
【請求項４】
請求項１において、前記挟み込み検知手段は、前記開閉機構の扉の開閉角度を計測する手段を備え、当該扉の開閉角度から配線の挟み込みを検知するようにしたことを特徴とするエレベーター装置。
【請求項５】
請求項４において、前記開閉角度計測手段は、前記開閉機構部にリニアエンコーダとリニアスケールを設置することで構成したことを特徴とするエレベーター装置。
【請求項６】
請求項４において、前記開閉角度計測手段は、前記開閉機構の回転軸にボリューム抵抗を設置することで構成したことを特徴とするエレベーター装置。
【発明の詳細な説明】
【技術分野】
【０００１】
本発明は、エレベーター装置に係り、特にエレベーターの保守作業に伴うエレベーター制御盤の地絡事故等を未然に防止する装置に関するものである。
【背景技術】
【０００２】
エレベーター設備は定期的な保守作業、及び地震等の後の点検作業を行うことで、安全性に万全を期している。このような保守作業では、エレベーター設備全体の点検が実施され、エレベーター制御盤に収納された各種制御用電気品の操作・点検等も実施される。
【０００３】
エレベーター制御盤は、特許文献１のように昇降路内に設置される場合、或いは特許文献２のように機械室に設置される場合があるが、いずれの場合も、保守作業員が制御盤の扉を開閉して行う必要がある。従って、年に数回程度は、制御盤の扉の開閉を行うことになる。
【０００４】
この制御盤の扉には鋼材が使用されていることから、扉の閉じ部に多少の異物があっても、鋼材が撓むことで扉を閉じることができる。従って、制御盤内の配線を挟み込んでも、扉を閉じて、保守作業を終了する恐れがある。配線を挟み込んだまま扉を閉じた状態が続くと、配線被覆が剥け、銅線が剥き出しとなって、地絡事故等を引き起こす原因となる。
この配線の挟み込みを防止するためには、制御盤内にダクトを設け、制御盤内の配線をこのダクトに収納する方法がある。しかしながら、この方法においても、制御盤内の実装スペース上、ダクトを設置できない箇所については依然として配線を挟み込む恐れがあり、また、ダクトへ収納し忘れた場合も配線挟み込みの恐れがあった。
【先行技術文献】
【特許文献】
【０００５】
【特許文献１】特開2004-75220号公報
【特許文献２】特開2004-284733号公報
【発明の概要】
【発明が解決しようとする課題】
【０００６】
図６にエレベーター制御盤の構造の一例を示す。制御盤扉１は制御盤フレーム２と開閉機構３によって連結され、制御盤扉１と制御盤フレーム２との空間にエレベーターを制御するための電気品を収納する。また、開閉機構３は蝶番などを使用することにより、制御盤扉１の開閉作業性を向上している。図６は制御盤扉１を閉じている状態、図７には制御盤扉１を開けている状態を示しており、保守作業時は図７のように制御盤扉１を開けて制御盤内に実装されている電気品の保守・点検を実施する。
【０００７】
制御盤内では電気品間の接続に多くの配線を使用している。図８に配線４を挟み込んだ状態で制御盤扉１を閉じた状態を示す。制御盤扉１は図示しないバックルなどで扉を固定し、閉じた状態を維持するが、図８の配線４を挟み込んだ状態においても、鋼材などで製造される制御盤扉１が撓むことによって扉を固定することができる。
【０００８】
このようにして扉１を固定すると、保守員からは配線４の挟み込みを知ることができず、保守作業を終了する。したがって、図８の配線挟み込み状態がつづき、地絡事故等の要因を潜在させることになる。
【０００９】
本発明の目的とするところは、エレベーターの保守作業に伴って潜在する恐れのある配線の挟み込み、それによる地絡事故等を未然に防止し、信頼性の高いエレベーター装置を提供することにある。
【課題を解決するための手段】
【００１０】
上記目的を達成するための、本発明の特徴は、エレベーター制御盤の扉を閉じたとき、当該制御盤扉への配線の挟み込みを検知する挟み込み検知手段を設け、エレベーターの保守作業員に、配線の挟み込みが生じていることを報知するようにしたところにある。
【００１１】
以下述べる本発明の実施の態様では、上記目的及び特徴を効果的かつ精度良く実現するよう工夫しているが、その詳細については実施例の中で説明する。
【発明の効果】
【００１２】
本発明によれば、 保守作業を終え、制御盤の扉を閉じる際に配線を挟み込んでいる場合は、即座に保守作業員に知らせることができるので、配線の挟み込みによる地絡事故を未然に防止することができ、エレベーター装置の信頼性の維持に寄与することができる。
【図面の簡単な説明】
【００１３】
【図１】本発明の一実施例に係るエレベーター保守点検作業のフローチャートである。
【図２】本発明による配線挟み込み検知手段の一実施例である。
【図３】図１の実施例で制御盤扉を開いたときの状態説明図である。
【図４】本発明による配線挟み込み検知手段の第２の実施例である。
【図５】本発明による配線挟み込み検知手段の第３の実施例である。
【図６】エレベーター制御盤の構造の一例を示した図である。
【図７】エレベーター制御盤の扉を開けた状態を示した図である。
【図８】エレベーター制御盤の扉に配線を挟み込んだ状態を示した図である。
【発明を実施するための形態】
【００１４】
以下、本発明の実施形態を図示する実施例を用いて説明する。
【実施例１】
【００１５】
図１に本発明の一実施例に係るエレベーター保守点検作業のフローチャートを示す。図において、エレベーターの通常運転状態から、まず、保守モードの設定を行う（ステップS1：保守スイッチ投入や電源遮断など）。次に制御盤扉１を開け（ステップS2）、保守作業を行う（ステップS3）。保守作業終了後、制御盤扉１を閉じ（ステップS4）、保守スイッチ遮断や設備電源の投入などにより保守モードを解除する（ステップS5）。このとき、制御盤扉１への配線の挟み込みを検知すると（ステップS6）、その旨をエレベーター保守作業員に知らせ、エレベーターの通常運転への復帰を阻止する（ステップS７）。
【００１６】
このため保守作業員には、配線の挟み込みを知らせることができ、再度の点検、或いは制御盤扉１の再度の開閉動作を促すことができる。この実施例では、挟み込みが検知された場合は（ステップS６）、再度、制御盤扉１が開閉されるまでエレベーターの通常運転への復帰は阻止され、この制御盤扉１の開閉が成されたこと（ステップS2，S３）を条件に、制御盤扉１への配線の挟み込みを再度検知する（ステップS6）ようにしているので、配線の挟み込みを確実に防止することができる。
【００１７】
また、本実施例では、保守作業（保守モード設定のステップS1：例えば、点検台スイッチ、保守スイッチなど）と連動し、その保守作業の解除（ステップS５）を条件に、挟み込みを報知（ステップS７）するようにしているので、保守作業中に制御盤扉１を閉じても報知されず、保守作業員に過剰な気遣いを与えることはない。
【００１８】
また、挟み込み報知（ステップS７）としては、保守作業員の保守ツールに表示することの外、制御盤に設けられたブザーの鳴動、更には保守センターへの報知等、対象となるエレベーター装置に合った構成を採ることができる。
【００１９】
次に、配線の挟み込みを検知する手段の一実施例を図２及び図３を用いて具体的に説明する。本実施例は、開閉機構の開閉角度を計測することで、配線の挟み込みを高精度に検知する例を示す。
【００２０】
図２及び図３において、受光素子、発光素子を有するリニアエンコーダ５を制御盤フレーム２に固定し、リニアエンコーダ５の受光素子、発光素子間に微小なスリットを刻み込んだリニアスケール６を通している。このリニアスケール６の両端はそれぞれ制御盤扉１及び制御盤フレーム２に固定する。
【００２１】
このような構成とすることにより、図３に示すように、リニアスケール６は制御盤扉１の開閉に同期してリニアエンコーダ５の受光素子・発光素子間を移動するので、このリニアエンコーダ５の移動するスリット数を計数することで、開閉機構３の開閉角度を計測することができる。
【００２２】
従って、この開閉角度を、予め設定した閾値と比較することで、図１の配線挟み込み検知（ステップS6）を行うことが出来る。例えば、配線挟み込みが無く、扉１が完全に閉じた状態を１８０°とすると、例えば上記閾値を１７９°に設定し、計測した開閉角度が１７９°以下の場合に配線挟み込みとして検知するわけである。
【００２３】
この様に、挟み込み検知を開閉機構３の開閉角度で計測することにより、扉１の撓みに影響されず、高精度に配線の挟み込みを検知することができる。
【実施例２】
【００２４】
図４に本発明による配線挟み込み検知手段の他の実施例を示す。前記実施例と同様に、開閉機構３の開閉角度を計測することにより配線４の挟み込みを検知する例であるが、本実施例では、開閉機構部にボリューム抵抗７を取り付け、その抵抗値を計測することで、扉１の開閉角度を計測するようにしている。
【００２５】
従って、本実施例でも、扉１の撓みに影響されず、その開閉角度を閾値を比較することで、高精度に配線の挟み込みを検知することが出来る。
【実施例３】
【００２６】
図５は、本発明による配線挟み込み検知手段の更に他の実施例を示す。本実施例では、制御盤扉１の閉じ端部に圧電素子８を設け、扉１に配線が挟み込まれた場合に、その閉じ力が低下することを利用して、挟み込みを検出するようにしている。即ち、一定の閾値を設定しておき、圧電素子８の検出圧力が閾値以下の場合に配線の挟み込みとして検知するわけである。
【００２７】
このように、制御盤扉１の閉じ端部で検出する場合は、扉１の撓みが影響するが、この扉１の剛性が高い場合は、その圧力の程度から配線の挟み込みを検出することが出来る。この場合、圧力に限らず、閉じ端部での扉の閉じている程度を測定できるものであれば、例えば、電気接点で複数の閉じ位置を計測するようにしてもよい。
【符号の説明】
【００２８】
１・・・制御盤扉
２・・・制御盤フレーム
３・・・開閉機構
４・・・配線
５・・・リニアエンコーダ
６・・・リニアスケール
７・・・ボリューム抵抗
８・・・圧電素子
【図１】
2011073800.tif 000003
【図２】
2011073800.tif 000004
【図３】
2011073800.tif 000005
【図４】
2011073800.tif 000006
【図５】
2011073800.tif 000007
【図６】
2011073800.tif 000008
【図７】
2011073800.tif 000009
【図８】
2011073800.tif 000010